(57)【特許請求の範囲】
【請求項１】
原子炉圧力容器内に燃料を装荷する前に、この原子炉圧力容器に連通する給水配管内に、タービン復水器からの復水を通水して洗浄し、その洗浄後の水を上記原子炉圧力容器内に仮設した仮設プールで受水することを特徴とする原子力プラントにおける給水配管洗浄方法。
【請求項２】
仮設プールを、給水配管の通水を原子炉圧力容器内へスプレイする給水スパージャに吊持させていることを特徴とする請求項１記載の原子力プラントにおける給水配管洗浄方法。
【請求項３】
仮設プールに浮力を与えるように原子炉圧力容器内を水張りすることを特徴とする請求項１または２記載の原子力プラントにおける給水配管洗浄方法。
【請求項４】
仮設プール内の排水を排水ポンプにより原子炉圧力容器外へ排水することを特徴とする請求項１〜３のいずれか１項に記載の原子力プラントにおける給水配管洗浄方法。
【請求項５】
排水ポンプを原子炉圧力容器外から吊持した状態で運転することを特徴とする請求項４記載の原子力プラントにおける給水配管洗浄方法。
【発明の詳細な説明】
【０００１】
【発明の属する技術分野】
本発明は、例えば沸騰水型原子炉における給水配管洗浄方法に関する。
【０００２】
【従来の技術】
一般に、原子力発電所の建設時において、原子炉圧力容器に接続される配管は、燃料装荷以降の被曝を低減させるために、予めこれら配管の清浄を行なう。特に原子炉圧力容器に接続された給水配管は、燃料装荷以降の原子炉運転において原子炉圧力容器（原子炉）内へ異物や鉄錆、配管残留水等を持ち込まないようにするため、予め清浄水を十分な線流速で通水して洗浄しなければならない。
【０００３】
図２はこの種の従来の原子力プラントにおける給水配管洗浄方法を説明するための配管の一部系統図であり、燃料を内部に装荷する原子炉圧力容器１には給水配管２を接続している。この原子炉圧力容器１内に燃料を装荷する前に給水配管２内を通水して洗浄する洗浄水としては予め十分な浄化運転により清浄化している復水系から供給する。つまり、復水系は、タービン復水器３を水源とし、復水ポンプ４で加圧した後、復水ろ過器５および復水脱塩塔６にて浄化してから、再びタービン復水器３に戻す浄化運転を行なっている。
【０００４】
そこで、この浄化された清浄水を、給水ヘッダ７までの給水系配管８に通水して洗浄する給水再循環運転を実施した後、さらにこの給水ヘッダー７から原子炉圧力容器１までの給水配管２内を通水させてから、給水スパージャ１ａより原子炉圧力容器１内に排水して給水配管１を洗浄する。
【０００５】
そして、原子炉圧力容器１内へ排水された水は、原子炉圧力容器１内に一旦貯められてから原子炉圧力容器１のドレン弁を経て、さらにサプレッションプール１０へ排水され、水抜きされる。
【０００６】
【発明が解決しようとする課題】
しかしながら、このような従来の原子力プラントにおける給水配管洗浄方法では給水配管２および給水系配管８を通水して洗浄する一方で、これら配管１，８の錆や異物等により汚染された汚水を原子炉圧力容器１内へ一旦貯めてしまうので、この原子炉圧力容器１内を一旦水抜きしてから、再度洗浄しなくてはならない。この原子炉圧力容器１の水抜きと洗浄には、例えば約４日を必要とし、そのための人工は約２０日を要し、その分、原子力プラントの建設工期が長期化している。
【０００７】
そこで本発明はこのような事情を考慮してなされたもので、その目的は、原子炉の水抜きと洗浄を省略することができ、高効率かつ短時間で給水配管を洗浄することができる原子力プラントにおける給水配管洗浄方法を提供することにある。
【０００８】
【課題を解決するための手段】
請求項１の発明は、原子炉圧力容器内に燃料を装荷する前に、この原子炉圧力容器に連通する給水配管内に、タービン復水器からの復水を通水して洗浄し、その洗浄後の水を上記原子炉圧力容器内に仮設した仮設プールで受水することを特徴とする。
【０００９】
本請求項によれば、タービン復水器からの清浄な復水を給水配管内に、所定の流量で通水するので、その通水の際に、この給水配管内を洗浄することができる。
【００１０】
そして、この給水配管内を通水して洗浄する一方で管内のクラッドや残留水等により汚染された洗浄後の水を、原子炉圧力容器内へ排水せずに仮設プールに排水させるので、原子炉圧力容器内が汚染されるのを防止することができる。
【００１１】
したがって、原子炉圧力容器内を水抜きして洗浄する工程を省略することができるので、給水配管の洗浄を高効率かつ短時間で行なうことができる。このために、原子力プラントの建設工期を、例えば約２〜３日程度短縮することができる。
【００１２】
請求項２の発明は、仮設プールを、給水配管の通水を原子炉圧力容器内へスプレイする給水スパージャに吊持させていることを特徴とする。
【００１３】
本請求項によれば、仮設プールを給水スパージャに吊持させて固定させているので、給水配管洗浄後の水が仮設プール内に排水されている際に仮設プールの位置がずれて原子炉圧力容器内へ放水され、その内部を汚染するのを防止することができる。
【００１４】
請求項３の発明は、仮設プールに浮力を与えるように原子炉圧力容器内を水張りすることを特徴とする。
【００１５】
本請求項によれば、給水配管洗浄後の排水が仮設プール内へ排水されるので、次第に仮設プールの重量が増大して行くが、原子炉圧力容器内に水張りされた水により仮設プールに浮力を与えているので、仮設プールの荷重を軽減することができる。
【００１６】
このために、仮設プールを支持している例えば上部格子板、または吊持している給水スパージャの負荷を軽減することができ、これらの応力を軽減し、損壊を未然に防止することができる。
【００１７】
請求項４の発明は、仮設プール内の排水を排水ポンプにより原子炉圧力容器外へ排水することを特徴とする。
【００１８】
本請求項によれば、仮設プール内に排出された排水を排水ポンプにより原子炉圧力容器外へさらに排水するので、その排水を短時間で行なうことができる。
【００１９】
請求項５の発明は、排水ポンプを原子炉圧力容器外から吊持した状態で運転することを特徴とする。
【００２０】
本請求項によれば、重い排水ポンプを原子炉圧力容器の外部で吊持するので、この排水ポンプの荷重が仮設プールに負荷されて、仮設プールを破壊させ、あるいは原子炉圧力容器内に水張りされた水中に沈没させるのを未然に防止することができる。
【００２１】
【発明の実施の形態】
以下、図１を参照して本発明の実施形態を説明する。
【００２２】
図１に示すように本実施形態に係る原子力プラントにおける給水配管洗浄方法は、原子炉圧力容器１１内に燃料１２を装荷する前に、この原子炉圧力容器１１に接続された給水配管１３と、この給水配管１３にヘッダ１４を介して接続された給水系配管１５の管内に、復水系の清浄水を通水して洗浄するものである。
【００２３】
復水系はタービン復水器１６からの復水を復水ポンプ１７により昇圧して復水ろ過器１８と復水脱塩塔１９とに通水して順次浄化して再びタービン復水器１６に戻す浄化系を有する。
【００２４】
この浄化系は復水脱塩塔１９の下流側にて給水系配管１５の一端を接続しており、タービン復水器１６の復水を復水ろ過器１８と復水脱塩塔１９とにより浄化した清浄水の少なくとも一部を給水系配管１５へ適宜供給することができる。
【００２５】
原子炉圧力容器１１は給水配管１３からの給水を原子炉圧力容器１１内にスプレイする複数の給水スパージャ２０と、燃料１２の上端部を支持する上部格子板２１とを既に設けているが、燃料１２はまだ装荷していない状態にある。
【００２６】
次に本実施形態に係る給水配管洗浄方法を説明する。
【００２７】
まず、原子炉圧力容器１１内に純水２２を上部格子板２１の上方まで満たし、その水面上に可搬式仮設プール２３を適宜浮上させる。
【００２８】
仮設プール２３は例えばビニール等の合成樹脂等により有底筒状に形成され、搬送可能に構成されている。
【００２９】
仮設プール２３はその開口端縁部の周方向の複数箇所を各給水スパージャ２０に固定し、これら給水スパージャ２０からスプレイされる水を受けると共に、原子炉圧力容器１１内の純水２２上で仮設プール２３が大きく揺動して、スプレイ水が純水２２上にスプレイされるのを防止するようになっている。
【００３０】
そして、この仮設プール２３の内底上には排水ポンプである水中ポンプ２４を配置し、この水中ポンプ２４を、原子炉圧力容器１１の上方外部にある例えば燃料交換機２５により吊持し、水中ポンプ２４の排水ホース２６の図示しない排水口端部を原子炉圧力容器１１外に延伸させている。
【００３１】
次に復水ポンプ１７を運転して、タービン復水器１６内の清浄な復水の一部を、復水ろ過器１８と復水脱塩塔１９に通水して洗浄してから、給水系配管１５、ヘッダ１４を経て給水配管１３内を所定圧で通水させる。
【００３２】
すると、その通水の際に、これら配管１３，１５内の錆や塵埃等の異物、管内残留水を押し出して洗浄し、その洗浄後の水は各給水スパージャ２０から原子炉圧力容器１１内に仮設された仮設プール２３内へスプレイされる。
【００３３】
仮設プール２３内へスプレイされた排水はさらに水中ポンプ２４の運転により排水ホース２６から原子炉圧力容器１１外へ排水される。
【００３４】
したがって、この実施形態によれば、タービン復水器１６からの清浄な復水を給水配管１３、給水系配管１５内に、所定の流量で通水するので、その通水の際に、この給水配管１３、給水系配管１５内を洗浄することができる。
【００３５】
そして、これら給水配管１３，１５内を通水して洗浄する一方で管内のクラッドや残留水等により汚染された洗浄後の水を、原子炉圧力容器１１内へ排水せずに仮設プール２３に排水させるので、原子炉圧力容器１１内の純水２２が汚染されるのを防止することができる。
【００３６】
したがって、原子炉圧力容器１１内を水抜きして洗浄する工程を省略することができるので、給水配管１３，１５の洗浄を高効率かつ短時間で行なうことができる。このために、原子力プラントの建設工期を、例えば約２〜３日程度短縮することができる。
【００３７】
また、仮設プール２３を給水スパージャ２０に吊持させて固定させているので、給水配管洗浄後の水が仮設プール２３内にスプレイされている際に仮設プール２３の位置がずれて原子炉圧力容器１１内へ放水され、その内部を汚染するのを防止することができる。
【００３８】
さらに、給水配管１３，１５の洗浄後の排水が仮設プール２３内へ排水されるので、次第に仮設プール２３の重量が増大して行くが、原子炉圧力容器１１内に水張りされた純水２２により仮設プール２３に浮力を与えているので、仮設プール２３の荷重を軽減することができる。
【００３９】
このために、仮設プール２３を支持している例えば上部格子板２１、または吊持している給水スパージャ２０の負荷を軽減することができ、これらの応力を軽減し、損壊を未然に防止することができる。
【００４０】
また、仮設プール２３内に排出された排水を水中ポンプ２４により原子炉圧力容器１１外へさらに排水するので、その排水を短時間で行なうことができる。
【００４１】
そして、重い水中ポンプ２４を原子炉圧力容器１１の外部で吊持し、仮設プール２３では支持しないので、この水中ポンプ２４の荷重が仮設プール２３に負荷されて、仮設プール２３を破壊させ、あるいは原子炉圧力容器１１内に水張りされた水中に沈没させるのを未然に防止することができる。
【００４２】
【発明の効果】
以上説明したように、請求項１の発明は、タービン復水器からの清浄な復水を給水配管内に、所定の流量で通水するので、その通水の際に、この給水配管内を洗浄することができる。
【００４３】
そして、この給水配管内を通水して洗浄する一方で管内のクラッドや残留水等により汚染された洗浄後の水を、原子炉圧力容器内へ排水せずに仮設プールに排水させるので、原子炉圧力容器内が汚染されるのを防止することができる。
【００４４】
したがって、原子炉圧力容器内を水抜きして洗浄する工程を省略することができるので、給水配管の洗浄を高効率かつ短時間で行なうことができる。このために、原子力プラントの建設工期を、例えば約２〜３日程度短縮することができる。
【００４５】
請求項２の発明によれば、仮設プールを給水スパージャに吊持させて固定させているので、給水配管洗浄後の水が仮設プール内に排水されている際に仮設プールの位置がずれて原子炉圧力容器内へ放水され、その内部を汚染するのを防止することができる。
【００４６】
請求項３の発明によれば、給水配管洗浄後の排水が仮設プール内へ排水されるので、次第に仮設プールの重量が増大して行くが、原子炉圧力容器内に水張りされた水により仮設プールが浮力を与えられているので、仮設プールの荷重を軽減することができる。
【００４７】
このために、仮設プールを支持している例えば上部格子板、または吊持している給水スパージャの負荷を軽減することができ、これらの応力を軽減し、損壊を未然に防止することができる。
【００４８】
請求項４の発明によれば、仮設プール内に排出された排水を排水ポンプにより原子炉圧力容器外へさらに排水するので、その排水を短時間で行なうことができる。
【００４９】
請求項５の発明によれば、重い排水ポンプを原子炉圧力容器の外部で吊持するので、この排水ポンプの荷重が仮設プールに負荷されて、仮設プールを破壊させ、あるいは原子炉圧力容器内に水張りされた水中に沈没させるのを未然に防止することができる。
【図面の簡単な説明】
【図１】本発明の一実施形態に係る原子力プラントにおける給水配管洗浄方法を説明するための原子力プラントの一部の配管系統図。
【図２】従来の原子力プラントにおける給水配管洗浄方法を説明するための原子力プラントの一部の配管系統図。
【符号の説明】
１１  原子炉圧力容器
１２  燃料
１３  給水配管
１５  給水系配管
１６  タービン復水器
１７  復水ポンプ
１８  復水ろ過器
１９  復水脱塩塔
２０  給水スパージャ
２１  上部格子板
２２  純水
２３  仮設プール
２４  水中ポンプ（排水ポンプ）
２５  燃料交換器
２６  排水ホース
【図１】
0003580636.tif 000002
【図２】
0003580636.tif 000003